(57)【要約】  【課題】無効に設定された入力端子に画像信号が入力された場合、ユーザーに報知する。  【解決手段】画像投写部１０は、画像をスクリーンＳＣに投写する。入力端子群２５は、画像の画像信号が入力される。検知部２０ａは、画像信号が入力された入力端子群２５の入力端子を検知する。設定部２０ｂは、入力端子群２５の入力端子のそれぞれにおいて、使用の有効または無効を設定する。報知部２０ｃは、検知部２０ａによって検知された入力端子が、設定部２０ｂによって無効と設定された入力端子である場合報知する。【選択図】図１
2015187680.tif 000002
【特許請求の範囲】
【請求項１】
画像を表示する表示部と、
前記画像の画像信号が入力される複数の入力端子と、
画像信号が入力された前記入力端子を検知する検知部と、
前記入力端子のそれぞれにおいて、使用の有効または無効を設定する設定部と、
前記検知部によって検知された前記入力端子が、前記設定部によって無効と設定された前記入力端子である場合報知する報知部と、
を有することを特徴とする表示装置。
【請求項２】
請求項１に記載の表示装置であって、
前記報知部は、無効と設定された前記入力端子に画像信号が入力されたことを、前記表示部に表示することを特徴とする表示装置。
【請求項３】
請求項１または請求項２に記載の表示装置であって、
前記報知部は、無効と設定された前記入力端子に画像信号が入力されたことを、光を発する発光部または音を発する音声部によって報知することを特徴とする表示装置。
【請求項４】
請求項１乃至請求項３のいずれか一項に記載の表示装置であって、
前記表示部は、前記報知部による報知の際または前記報知部による報知の後、前記入力端子ごとの有効または無効の設定を受付けるための画像を表示することを特徴とする表示装置。
【請求項５】
請求項１乃至請求項４のいずれか一項に記載の表示装置であって、
前記報知部は、前記検知部が前記設定部によって無効と設定された前記入力端子に画像信号が入力されたことを検知しなくなった場合、報知を終了することを特徴とする表示装置。
【請求項６】
請求項１乃至請求項５のいずれか一項に記載の表示装置であって、
前記設定部は、前記報知部による報知の際、画像信号が入力された前記設定部によって無効と設定されていた前記入力端子を有効に設定変更することを特徴とする表示装置。
【請求項７】
請求項１乃至請求項６のいずれか一項に記載の表示装置であって、
前記表示部は、光源と、光変調部と、投写レンズとを有することを特徴とする表示装置。
【請求項８】
表示装置の報知方法であって、
画像を表示する表示ステップと、
前記画像の画像信号が入力される複数の入力端子のうち、画像信号が入力された前記入力端子を検知する検知ステップと、
前記入力端子のそれぞれにおいて、使用の有効または無効を設定する設定ステップと、
前記検知ステップによって検知された前記入力端子が、前記設定ステップによって無効と設定された前記入力端子である場合報知する報知ステップと、
を有することを特徴とする報知方法。
【発明の詳細な説明】
【技術分野】
【０００１】
本発明は、表示装置および報知方法に関する。
【背景技術】
【０００２】
特許文献１には、安価な構成で、望まない画像が表示されるのを抑制することが可能な画像表示装置およびその制御方法が開示されている。
【０００３】
特許文献２には、映像信号の有無を検出する処理や、入力端子を切り替える処理を効率的に実行することでこれらの処理時間を短縮すると共に、入力端子の接続状態に変化があった場合は処理対象を動的に変更することができるプロジェクターおよびその制御方法が開示されている。
【先行技術文献】
【特許文献】
【０００４】
【特許文献１】特開２００８−３０４６６８号公報
【特許文献２】特開２０１１−１１８０１４号公報
【発明の概要】
【発明が解決しようとする課題】
【０００５】
ところで、プロジェクター等の表示装置は、画像信号を入力する入力端子を複数備えているものがある。このような、表示装置では、普段よく使用される入力端子は、ユーザーによってある程度決まってくる。そこで、複数の入力端子を備えた表示装置では、ユーザーがよく使用する入力端子間で、画像信号の入力切替えを行えるように設定できるものがある。
【０００６】
例えば、表示装置は、ＰＣ（Personal Computer）などのコンピューターからの画像信号を入力できるＰＣ１，ＰＣ２の２つの入力端子と、ビデオ機器の画像信号を入力できるＶｉｄｅｏ１，Ｖｉｄｅｏ２の２つの入力端子とを備えているとする。そして、ユーザーは、例えば、これらの４つの入力端子のうち、ＰＣ１とＶｉｄｅｏ１との２つの入力端子をよく使用するとする。この場合、表示装置は設定で、ＰＣ２とＶｉｄｅｏ２との２つの入力端子を無効（使用を禁止）にすることができ、よく使用するＰＣ１とＶｉｄｅｏ１との２つの入力端子間で、画像信号の入力切替えを行うようにすることができる。
【０００７】
しかし、ユーザーが、無効に設定された入力端子に画像信号を入力するようにした場合、画像信号の入力切替えを行っても、画像信号の画像が表示されず、ユーザーは戸惑ってしまうという問題がある。
【０００８】
例えば、ユーザーが、無効に設定されたＰＣ２の入力端子に画像信号を入力するようコンピューターを表示装置に接続した場合、画像信号の入力切替えの操作を行っても、画像信号の入力切替えは、ＰＣ１とＶｉｄｅｏ１との２つの入力端子間で行われるので、ＰＣ２の入力端子に入力された画像信号は、表示されない。そのため、ユーザーは、表示装置に入力した画像信号がなぜ表示されないのか、戸惑ってしまう。
【０００９】
そこで、無効に設定された入力端子に画像信号が入力された場合、利便性を向上することを目的とする。
【課題を解決するための手段】
【００１０】
上記の課題を解決するための本発明の第一の態様は、画像を表示する表示部と、前記画像の画像信号が入力される複数の入力端子と、画像信号が入力された前記入力端子を検知する検知部と、前記入力端子のそれぞれにおいて、使用の有効または無効を設定する設定部と、前記検知部によって検知された前記入力端子が、前記設定部によって無効と設定された前記入力端子である場合報知する報知部と、を有することを特徴とする表示装置である。第一の態様によれば、表示装置は、画像信号が入力された入力端子を検知し、検知した入力端子が無効と設定された入力端子である場合、報知する。これにより、表示装置は、無効に設定された入力端子に画像信号が入力された場合、ユーザーに報知することができる。
【００１１】
前記報知部は、無効と設定された前記入力端子に画像信号が入力されたことを、前記表示部に表示することを特徴としてもよい。これにより、ユーザーは、表示部に表示された報知によって、無効に設定された入力端子に画像信号が入力されたことを認識することができる。
【００１２】
前記報知部は、無効と設定された前記入力端子に画像信号が入力されたことを、光を発する発光部または音を発する音声部によって報知することを特徴としてもよい。これにより、ユーザーは、発光部の発光によってまたは音声部の音によって、無効に設定された入力端子に画像信号が入力されたことを認識することができる。
【００１３】
前記表示部は、前記報知部による報知の際または前記報知部による報知の後、前記入力端子ごとの有効または無効の設定を受付けるための画像を表示することを特徴としてもよい。これにより、ユーザーは、画像信号が入力されている、無効に設定された入力端子を有効に設定変更することができる。
【００１４】
前記報知部は、前記検知部が前記設定部によって無効と設定された前記入力端子に画像信号が入力されたことを検知しなくなった場合、報知を終了することを特徴としてもよい。これにより、ユーザーは、入力端子に入力されている画像信号の画像の表示が可能になったことを認識することができる。
【００１５】
前記設定部は、前記報知部による報知の際または前記報知部による報知の後、画像信号が入力された前記設定部によって無効と設定されていた前記入力端子を有効に設定変更することを特徴としてもよい。これにより、ユーザーは、入力端子の設定変更の操作をしなくても、入力端子に入力された画像信号の画像を表示することが可能となる。
【００１６】
前記表示部は、光源と、光変調部と、投写レンズとを有することを特徴としてもよい。これにより、表示装置は、無効に設定された入力端子に画像信号が入力された場合、投写によって、ユーザーに報知することができる。
【００１７】
上記の課題を解決するための本発明の第二の態様は、表示装置の報知方法であって、画像を表示する表示ステップと、前記画像の画像信号が入力される複数の入力端子のうち、画像信号が入力された前記入力端子を検知する検知ステップと、前記入力端子のそれぞれにおいて、使用の有効または無効を設定する設定ステップと、前記検知ステップによって検知された前記入力端子が、前記設定ステップによって無効と設定された前記入力端子である場合報知する報知ステップと、を有することを特徴とする報知方法である。第二の態様によれば、表示装置は、画像信号が入力された入力端子を検知し、検知した入力端子が無効と設定された入力端子である場合、報知する。これにより、表示装置は、無効に設定された入力端子に画像信号が入力された場合、ユーザーに報知することができる。
【図面の簡単な説明】
【００１８】
【図１】本発明の一実施形態に係るプロジェクターの概略構成の一例を示した図である。
【図２】情報記憶部のデータ構成例を説明する図である。
【図３】入力ソース切替えおよび報知の例を説明する図である。
【図４】プロジェクターの動作例を説明するフローチャートである。
【図５】スクリーンに投写される画像例を示した図のその１である。
【図６】スクリーンに投写される画像例を示した図のその２である。
【図７】入力端子の設定画面例を示した図である。
【図８】入力端子の自動設定変更の画面例を示した図である。
【発明を実施するための形態】
【００１９】
以下、本発明に係る表示装置をプロジェクターに適用した場合の例について図面を参照して説明する。
【００２０】
図１は、本発明の一実施形態に係るプロジェクターの概略構成の一例を示した図である。図１に示すように、プロジェクター１は、画像投写部１０、制御部２０、記憶部２１、操作パネル２２、リモコン（リモートコントローラー）２３、操作信号受信部２４、入力端子群２５、入力端子選択部２６、画像信号処理部２７、ＯＳＤ（On Screen Display）処理部２８、光源駆動部３０等を有する。画像投写部１０には、光源１１、光変調部としての３つの液晶ライトバルブ１２Ｒ，１２Ｇ，１２Ｂ、投写光学系としての投写レンズ１３、ライトバルブ駆動部１４等が含まれる。画像投写部１０は、例えば、本発明の表示部に対応する。
【００２１】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成される。光源１１から射出された光は、インテグレーター光学系（図示せず）によって輝度分布が略均一な光に変換され、色分離光学系（図示せず）によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素が形成されており、液晶に対して画素毎に駆動電圧を印加可能になっている。ライトバルブ駆動部１４が、入力される画像データに応じた駆動電圧を各画素に印加すると、各画素は、画像データに応じた光透過率に設定される。つまり、光源１１から射出された光は、この液晶ライトバルブ１２Ｒ，１２Ｇ，１２Ｂを透過することによって変調され、画像データに応じた画像光が色光毎に形成される。形成された各色の画像光は、色合成光学系（図示せず）によって画素毎に合成されてカラー画像を表す画像光となった後、投写レンズ１３によってスクリーンＳＣ等に拡大投写される。
【００２３】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００２４】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成される。記憶部２１には、プロジェクター１の動作を制御するための制御プログラムや各種データ等が記憶されている。
【００２５】
操作パネル２２およびリモコン２３は、入力操作部に相当するものであり、プロジェクター１に対して各種指示を行うための複数の操作キーを備えている。操作パネル２２およびリモコン２３が備える操作キーとしては、電源のオン，オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元、本実施形態では入力端子に相当する）を切り替えるための「入力ソース切替えキー」、無効にすべき入力ソースを指定するための「入力ソース無効化キー」、有効にすべき入力ソースを指定するための「入力ソース有効化キー」等がある。ユーザーが操作パネル２２の各種操作キーを操作すると、操作パネル２２は、ユーザーの操作内容に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００２６】
入力端子群２５は、ＰＣ等の情報機器、或いはビデオ再生装置等の映像機器等、外部の画像供給装置（図示せず）から、各種形式の画像信号を入力可能な複数の入力端子を備える。入力端子としては、例えば、情報機器等からの画像信号を入力可能なＰＣ系の入力端子、映像機器等からの画像信号を入力可能なビデオ系の入力端子等がある。
【００２７】
具体的には、入力端子群２５には、例えば、次のようなものがある。コンピューターの映像信号を入力する入力端子、ビデオ機器のＳ−ビデオ信号を入力する入力端子、ビデオ機器のコンポジットビデオ信号を入力する入力端子、ＨＤＭＩ（High-Definition Multimedia Interface）に対応したビデオ機器やコンピューターの信号を入力する入力端子、デジタルカメラやＵＳＢ対応のメモリーを接続し、画像データを入力するＵＳＢ  ＴｙｐｅＡの入力端子、ＵＳＢケーブルでコンピューターと接続して、コンピューターの映像を入力するＵＳＢ  ＴｙｐｅＢの入力端子、およびＬＡＮケーブルでコンピューターと接続し、ネットワーク上のコンピューターの画像信号を入力する入力端子がある。入力端子群２５は、例えば、本発明の複数の入力端子に対応する。
【００２８】
入力端子選択部２６は、入力選択部に相当するものであり、複数の入力端子のうち、制御部２０の指示に基づく１つの入力端子を選択し、この入力端子に入力される画像信号を画像信号処理部２７に出力する。
【００２９】
画像信号処理部２７は、入力端子選択部２６から入力された各種形式の画像信号を、液晶ライトバルブ１２Ｒ，１２Ｇ，１２Ｂの各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等の調整や、ガンマ補正等の各種画質調整を施す。画像信号処理部２７で画質調整がなされた画像データは、ＯＳＤ処理部２８に出力される。
【００３０】
ＯＳＤ処理部２８は、制御部２０の指示に基づいて、メニュー画像やメッセージ画像等のＯＳＤ画像を、画像信号処理部２７から入力される画像データに基づく画像（入力画像）上に重畳する処理を行う。ＯＳＤ処理部２８は、ＯＳＤメモリー（図示せず）を備えており、ＯＳＤ画像を形成するための図形やフォント等を表すＯＳＤ画像データを記憶している。制御部２０が、ＯＳＤ画像の重畳を指示すると、ＯＳＤ処理部２８は、必要なＯＳＤ画像データをＯＳＤメモリーから読み出し、入力画像の所定の位置にＯＳＤ画像が重畳されるように、画像信号処理部２７から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部２８は、画像信号処理部２７から出力される画像データを、そのままライトバルブ駆動部１４に出力する。
【００３１】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３からスクリーンＳＣ等に投写される。
【００３２】
光源駆動部３０は、制御部２０からの指示に従って、光源１１を点灯または消灯させる。例えば光源ランプ１１ａが高圧放電灯の場合には、光源駆動部３０は、始動電圧を印加する点灯回路や、適正なランプ電流を供給する安定器などにより構成される。
【００３３】
制御部２０について詳細に説明する。以下では説明を簡単にするため、入力端子群２５は、ＰＣ等のコンピューターからの画像信号を入力できる「ＰＣ１」と「ＰＣ２」との２つの入力端子と、ビデオ機器の画像信号を入力できる「Ｖｉｄｅｏ１」と「Ｖｉｄｅｏ２」との２つの入力端子とを備えているとする。
【００３４】
制御部２０は、検知部２０ａと、設定部２０ｂと、報知部２０ｃと、情報記憶部２０ｄとを有している。
【００３５】
検知部２０ａは、入力端子群２５のそれぞれの入力端子に画像信号が入力されているか否かを検知する。例えば、検知部２０ａは、入力端子群２５のそれぞれの入力端子に、何らかの画像信号または制御信号が入力されている場合その入力を検知し、画像信号または制御信号がその入力端子に入力されていることを検知する。具体的には、入力端子群２５の「ＰＣ２」に、コンピューターの画像信号が入力されている場合、検知部２０ａは、「ＰＣ２」に入力された画像信号を検知して、「ＰＣ２」に画像信号が入力されていることを検知する。
【００３６】
設定部２０ｂは、ユーザーから、入力端子群２５のそれぞれの入力端子における、使用の「有効」および「無効」の設定を受付け、受付けた設定を情報記憶部２０ｄに記憶する。具体的には操作パネル２２またはリモコン２３の「入力ソース無効化キー」「入力ソース有効化キー」により指定された入力端子を有効または無効に設定する。また、メニュー画面により設定してもよい。
【００３７】
図２は、情報記憶部のデータ構成例を説明する図である。図２に示すように、情報記憶部２０ｄには、入力端子情報４１と、端子設定情報４２とが記憶される。
【００３８】
入力端子情報４１は、入力端子群２５が有する複数の入力端子の、それぞれを識別する情報である。図２の例の場合、入力端子情報４１は、入力端子群２５が有する入力端子の名称となっているが、複数の入力端子を識別する識別番号であってもよい。
【００３９】
端子設定情報４２は、対応する入力端子情報４１の入力端子の使用が「有効」であるか、「無効」であるかを示す情報である。例えば、「有効」の端子設定情報４２に対応する入力端子情報４１の入力端子は、その使用が「有効」であることを示す。また、「無効」の端子設定情報４２に対応する入力端子情報４１の入力端子は、その使用が「無効」であることを示す。
【００４０】
入力端子情報４１は、予め情報記憶部２０ｄに記憶されており、対応する端子設定情報４２は、設定部２０ｂによって記憶される。例えば、設定部２０ｂは、ユーザーから、入力端子情報４１のそれぞれに対応する入力端子の端子設定情報４２を受付け、受付けた端子設定情報４２を情報記憶部２０ｄに記憶する。
【００４１】
制御部２０は、リモコン２３の「入力ソース切替えキー」が、ユーザーによって操作された場合、端子設定情報４２が「有効」となっている入力端子情報４１の入力端子間で、画像信号の入力切替えを行う（入力ソースの切替えを行う）。図２の例の場合、制御部２０は、「ＰＣ１」と「Ｖｉｄｅｏ１」との２つの入力端子間で、入力ソースの切替えを行う。
【００４２】
なお、制御部２０は、操作パネル２２の「入力ソース切替えキー」が、ユーザーによって操作された場合も同様の動作を行う。以下では、ユーザーは、リモコン２３の「入力ソース切替えキー」を操作するものとして説明し、操作パネル２２の「入力ソース切替えキー」をユーザーが操作する場合の説明は省略する。
【００４３】
図１の説明に戻る。報知部２０ｃは、検知部２０ａによって検知された入力端子が、設定部２０ｂによって「無効」と設定された入力端子である場合、その旨をスクリーンＳＣに報知する。
【００４４】
図３は、入力ソース切替えおよび報知の例を説明する図である。図３には、プロジェクター１と、コンピューター５１とが示してある。プロジェクター１は、図３に示すように、「ＰＣ１」と、「ＰＣ２」と、「Ｖｉｄｅｏ１」と、「Ｖｉｄｅｏ２」との４つの入力端子を有しているとする。また、４つの入力端子のそれぞれは、図３に示すように、「有効」および「無効」の端子設定がされているとする。
【００４５】
ユーザーがリモコン２３の「入力ソース切替えキー」を操作すると、制御部２０は、「有効」に端子設定がされた入力端子間で、入力ソースの切替えを行う。図３の例の場合、「有効」の端子設定がされている入力端子は「ＰＣ１」および「Ｖｉｄｅｏ１」であるので、制御部２０は、矢印Ａ１に示すように、「ＰＣ１」および「Ｖｉｄｅｏ１」の入力端子間で、画像信号の入力を切替える。具体的には、制御部２０は、「ＰＣ１」および「Ｖｉｄｅｏ１」のいずれか一方に入力される画像信号を画像信号処理部２７に出力するよう、入力端子選択部２６を制御する。
【００４６】
図３に示すように、コンピューター５１の画像信号が、ケーブルを介して、「無効」に端子設定がされた入力端子「ＰＣ２」に入力されている。従って、ユーザーがリモコン２３の「入力ソース切替えキー」を操作しても、コンピューター５１の画像信号は、画像信号処理部２７へ出力されず、その画像はスクリーンＳＣに投写されない。
【００４７】
検知部２０ａは、入力端子「ＰＣ２」に画像信号が入力されていることを検知する。そして、報知部２０ｃは、検知部２０ａによって検知された入力端子「ＰＣ２」が、「無効」に端子設定がされた入力端子であるので、その旨をスクリーンＳＣに投写する。例えば、報知部２０ｃは、「ＰＣ２に入力あり。」と、画像信号が入力されている、「無効」に設定された入力端子の情報を報知する。
【００４８】
ユーザーは、入力端子「ＰＣ１」に接続するのを誤って入力端子「ＰＣ２」に接続したのかもしれないし、入力端子「ＰＣ２」が「無効」に端子設定がされていることを知らないかもしれない。そのような場合でも、画像信号が入力されている、「無効」に設定された入力端子の情報がスクリーンＳＣに投写されるので、ユーザーは戸惑わなくて済む。
【００４９】
図１の説明に戻る。情報記憶部２０ｄは、例えば、ＲＡＭやフラッシュメモリーなどの記憶装置である。情報記憶部２０ｄには、図２で説明したように、入力端子群２５のそれぞれの入力端子における端子設定情報４２が記憶される。
【００５０】
図４は、プロジェクターの動作例を説明するフローチャートである。プロジェクター１は、例えば、リモコン２３の「入力ソース切替えキー」がユーザーによって操作されると、図４に示す処理を実行する。
【００５１】
なお、設定部２０ｂは、ユーザーから、入力端子群２５のそれぞれの入力端子における、「有効」および「無効」の設定情報を受付け、受付けた設定情報を情報記憶部２０ｄに記憶しているとする（設定ステップに相当する）。また、以下では、情報記憶部２０ｄには、図２で説明した入力端子情報４１と、端子設定情報４２とが記憶されているとする。また、図３に示したコンピューター５１が、ケーブルを介してプロジェクター１に接続されるとする。
【００５２】
まず、制御部２０は、ユーザーの「入力ソース切替えキー」の操作による、入力ソース切替え情報を取得する（ステップＳ１）。例えば、ユーザーが、「ＰＣ１」から「Ｖｉｄｅｏ１」に入力ソースの切替えを行った場合、制御部２０は、「Ｖｉｄｅｏ１」の入力ソース切替え情報を取得する。または、ユーザーが、「Ｖｉｄｅｏ１」から「ＰＣ１」に入力ソースの切替えを行った場合、制御部２０は、「ＰＣ１」の入力ソース切替え情報を取得する。なお、ステップＳ２は検知ステップに相当する。
【００５３】
次に、検知部２０ａは、入力端子群２５のどの入力端子に画像信号が入力されているかを検知する（ステップＳ２）。例えば、図３の例の場合、コンピューター５１は、入力端子「ＰＣ２」に接続されているので、検知部２０ａは、「ＰＣ２」に画像信号が入力されていると検知する。
【００５４】
次に、制御部２０は、画像信号の入力ソースを、ステップＳ１にて取得した入力ソース切替え情報の入力ソースに切替える（ステップＳ３）。例えば、制御部２０は、ステップＳ１にて、「ＰＣ１」の入力ソース切替え情報を取得した場合、「ＰＣ１」に入力される画像信号を画像信号処理部２７へ出力するよう、入力端子選択部２６を制御する。または、制御部２０は、ステップＳ１にて、「Ｖｉｄｅｏ１」の入力ソース切替え情報を取得した場合、「Ｖｉｄｅｏ１」に入力される画像信号を画像信号処理部２７へ出力するよう、入力端子選択部２６を制御する。なお、図示はしないが、ステップＳ２において、いずれの入力端子にも画像信号が入力されていなかった場合、ここで本動作フローを終了する。
【００５５】
次に、報知部２０ｃは、情報記憶部２０ｄを参照し、ステップＳ２にて検知された入力端子が、「無効」と設定された入力端子であるか否か判定する（ステップＳ４）。例えば、ステップＳ２にて検知された入力端子は「ＰＣ２」であったとする。この場合、報知部２０ｃは、図２の情報記憶部２０ｄに基づいて、検知部２０ａで検知された入力端子「ＰＣ２」は「無効」と設定された入力端子であると判定する。報知部２０ｃは、ステップＳ２にて検知された入力端子が、「無効」と設定された入力端子であると判定した場合（ステップＳ４で「Ｙｅｓ」）、ステップＳ４の処理へ移行する。報知部２０ｃは、ステップＳ２にて検知された入力端子が、「有効」と設定された入力端子であると判定した場合（ステップＳ４で「Ｎｏ」）、当該フローチャートの処理を終了する。
【００５６】
ステップＳ４において、報知部２０ｃは、ステップＳ２にて検知された入力端子が、「無効」と設定された入力端子であると判定した場合（ステップＳ４で「Ｙｅｓ」）、「無効」の入力端子に画像信号が入力されていることを報知する（ステップＳ５）。
【００５７】
図５は、スクリーンに投写される画像例を示した図のその１である。図５に示す画像６１は、「無効」に設定された入力端子に画像信号が入力された場合の、報知部２０ｃによる報知前の、スクリーンＳＣに投写される画像の例を示している。画像６１の画像領域６１ａには、現在設定されている入力ソースが表示されている。
【００５８】
ここで、プロジェクター１は、「Ｖｉｄｅｏ１」に入力ソースが設定されているとする。この設定において、図３に示すようにコンピューター５１は、入力端子「ＰＣ２」に接続されたとする。
【００５９】
この場合、入力ソースとして設定されている「Ｖｉｄｅｏ１」には、コンピューター５１の画像信号が入力されていないので、スクリーンＳＣには、画像６１に示すように、コンピューター５１の画像信号の画像は投写されない。
【００６０】
なお、現在設定されている入力ソースは、「Ｖｉｄｅｏ１」なので、画像領域６１ａには、「Ｖｉｄｅｏ１」が表示されている。
【００６１】
図６は、スクリーンに投写される画像例を示した図のその２である。図６に示す画像６２は、報知部２０ｃがステップＳ５の処理を実行するとスクリーンＳＣに投写される。画像６２の画像領域６２ａには、現在設定されている入力ソースが表示されている。画像６２の画像領域６２ｂには、報知部２０ｃによる報知内容が表示されている。
【００６２】
図５で説明したように、設定されている入力ソースと異なる入力端子に画像信号が入力されると、スクリーンＳＣには、画像信号の画像が投写されない。そこで、ユーザーは、例えば、「入力ソース切替えキー」を操作して、画像がスクリーンＳＣに投写されるよう、入力ソースを切替えたとする。例えば、ユーザーは、「Ｖｉｄｅｏ１」から「ＰＣ１」に入力ソースを切替えたとする。
【００６３】
しかし、「無効」に設定された入力端子「ＰＣ２」に画像信号が入力されている場合、ユーザーが入力ソースを切替えても、制御部２０は、「有効」に設定されている入力端子間で入力ソースを切替えるので、画像信号の画像はスクリーンＳＣに投写されない。そこで、報知部２０ｃは、画像信号が入力されている、「無効」に設定されている入力端子の情報をスクリーンＳＣに投写する。
【００６４】
例えば、図３の例では、コンピューター５１の画像信号は、「無効」に設定された入力端子「ＰＣ２」に入力されているので、画像領域６２ｂには、「ＰＣ２に入力あり。」と、「無効」に設定された入力端子「ＰＣ２」の情報が表示される。これによって、ユーザーは、「無効」の入力端子「ＰＣ２」に画像信号が入力されていることを認識でき、「入力ソース切替えキー」を操作しても、プロジェクター１に入力している画像信号の画像を、スクリーンＳＣに投写できないことを認識することができる。
【００６５】
なお、入力ソースは、図５の例に対して図６では、「Ｖｉｄｅｏ１」から「ＰＣ１」に切替えられたので、画像領域６２ａには、「ＰＣ１」が表示されている。ステップＳ５は報知ステップに相当する。
【００６６】
図４の説明に戻る。次に、設定部２０ｂは、タイマーをスタートする（ステップＳ６）。
【００６７】
次に、設定部２０ｂは、リモコン２３または操作パネル２２に対し、ユーザーの所定の操作があったか否か判定する（ステップＳ７）。所定の操作には、例えば、リモコン２３または操作パネル２２の決定キーの押下やヘルプキーの押下などの操作がある。設定部２０ｂは、リモコン２３または操作パネル２２に対し、ユーザーの所定の操作があったと判定した場合（ステップＳ７で「Ｙｅｓ」）、ステップＳ１０の処理へ移行する。設定部２０ｂは、リモコン２３または操作パネル２２に対し、ユーザーの所定の操作がないと判定した場合（ステップＳ７で「Ｎｏ」）、ステップＳ８の処理へ移行する。
【００６８】
ステップＳ７において、設定部２０ｂは、リモコン２３または操作パネル２２に対し、ユーザーの所定の操作がないと判定した場合（ステップＳ７で「Ｎｏ」）、所定時間経過したか否か判定する（ステップＳ８）。設定部２０ｂは、所定時間経過したと判定した場合（ステップＳ８で「Ｙｅｓ」）、ステップＳ９の処理へ移行する。設定部２０ｂは、所定時間経過していないと判定した場合（ステップＳ８で「Ｎｏ」）、ステップＳ７の処理へ移行する。なお、所定時間は、例えば、５秒〜３０秒の範囲で設定するのが望ましい。
【００６９】
ステップＳ８において、設定部２０ｂが、所定時間経過したと判定した場合（ステップＳ８で「Ｙｅｓ」）、報知部２０ｃは、スクリーンＳＣへの報知の投写を終了する（ステップＳ９）。例えば、報知部２０ｃは、図６の画像領域６２ｂへの報知情報の表示を終了する。報知部２０ｃは、スクリーンＳＣへの報知の投写を終了すると、当該フローチャートの処理を終了する。
【００７０】
ステップＳ７において、設定部２０ｂは、リモコン２３または操作パネル２２に対し、ユーザーの所定の操作があったと判定した場合（ステップＳ７で「Ｙｅｓ」）、入力端子の設定画面をスクリーンＳＣに投写する（ステップＳ１０）。
【００７１】
図７は、入力端子の設定画面例を示した図である。図７に示す画像６３は、設定部２０ｂがステップＳ１０の処理を実行するとスクリーンＳＣに投写される。図７において、図６と同じものには同じ符号を付し、その説明を省略する。
【００７２】
画像６３の画像領域６３ａには、入力端子の使用を設定するための画像が表示される。例えば、画像領域６３ａには、プロジェクター１が備える入力端子群２５のそれぞれの入力端子と、その入力端子に設定されている設定情報とが表示される。
【００７３】
図４の説明に戻る。次に、設定部２０ｂは、ユーザーから、入力端子の設定情報を受付け、受付けた設定情報を情報記憶部２０ｄに記憶する（ステップＳ１１）。設定部２０ｂは、受付けた設定情報を情報記憶部２０ｄに記憶すると、当該フローチャートの処理を終了する。
【００７４】
例えば、ユーザーは、ステップＳ１０にて表示された入力端子の設定画面（図７参照）において、入力端子の設定を変更することができる。例えば、ユーザーは、リモコン２３または操作パネル２２を操作して、設定変更したい入力端子の設定情報にカーソル６３ｂを移動する。そして、ユーザーは、カーソル６３ｂを移動した設定情報の設定を「無効」から「有効」に変更し、または「有効」から「無効」に変更することができる。設定部２０ｂは、ユーザーが入力した入力端子の設定情報を受付け、受付けた設定情報を図２で説明したように、情報記憶部２０ｄに記憶する。
【００７５】
なお、ユーザーは、図３に示したコンピューター５１の画像信号をスクリーンＳＣに投写したい場合、「ＰＣ２」の設定情報を「無効」から「有効」に変更すればよい。これにより、ユーザーは、「入力ソース切替えキー」を操作すると、入力ソースを「ＰＣ２」に切替えることができ、プロジェクター１は、「ＰＣ２」に入力された画像信号の画像を、スクリーンＳＣに投写することができる。
【００７６】
このように、プロジェクター１は、画像信号が入力された入力端子を検知し、検知した入力端子が「無効」と設定された入力端子である場合、スクリーンＳＣに報知する。これにより、プロジェクター１は、「無効」に設定された入力端子に画像信号が入力された場合、ユーザーに報知することができる。
【００７７】
また、プロジェクター１は、「無効」に設定された入力端子に画像信号が入力された場合、ユーザーにその旨を報知するので、ユーザーは、画像信号の画像がスクリーンＳＣに投写されなくても、投写されない理由を知ることができ、戸惑うことがない。
【００７８】
また、プロジェクター１は、報知部２０ｃによる報知後、入力端子ごとの設定情報を受付ける画像をスクリーンＳＣに投写する。これにより、ユーザーは、「無効」の入力端子を「有効」に設定変更することができ、スクリーンＳＣに投写されなかった画像信号の画像を容易に投写することができる。
【００７９】
なお、上記の実施形態では、図４のフローチャートは、リモコン２３の「入力ソース切替えキー」が、ユーザーによって操作されると処理が実行されるとしたが、「メニューキー」や「ヘルプキー」などのその他のキーが操作された場合に処理が実行されてもよい。すなわち、プロジェクター１は、ユーザーが入力端子に画像信号を入力し、その画像信号の画像がスクリーンＳＣに投写されないため、何らかの操作を行った場合に、図４に示す処理を実行してもよい。
【００８０】
また、図４のフローチャートは、プロジェクター１の電源が投入されたときに実行されてもよい。例えば、制御部２０は、プロジェクター１の電源がオフされる際、そのときに設定されている入力ソースの情報（入力ソース切替え情報）を情報記憶部２０ｄに記憶する。制御部２０は、プロジェクター１の電源投入後のステップＳ１の処理において、情報記憶部２０ｄを参照し、前回電源がオフされた際に設定されていた入力ソース切替え情報を取得する。以降の処理は、図４のステップＳ２以降の処理と同様である。
【００８１】
また、上記の実施形態では、設定部２０ｂは、報知部２０ｃの報知後、ユーザーの所定の操作があった場合に、入力端子の設定を行う設定画面をスクリーンＳＣに投写したが（図７参照）、報知部２０ｃの報知の際に、入力端子の設定を行う設定画面をスクリーンＳＣに投写してもよい。例えば、設定部２０ｂは、ステップＳ５の処理において、入力端子の設定を行う設定画面をスクリーンＳＣに投写してもよい。この場合、ステップＳ６〜Ｓ９の処理は省略する。そして、設定部２０ｂは、ステップＳ５の処理の後、ステップＳ１１の処理を実行し、図４のフローチャートを終了する。
【００８２】
また、上記の実施形態では、報知部２０ｃは、スクリーンＳＣに報知情報を投写して、「無効」の入力端子に画像信号が入力されたことを報知するとしたが、例えば、光を発する発光部または音を発する音声部によって、報知してもよい。例えば、報知部２０ｃは、ＬＥＤ（Light Emitting Diode）を発光することによりまたはスピーカーから音を発することにより、「無効」の入力端子に画像信号が入力されたことを報知してもよい。なお、投写による報知と、光による報知と、音による報知は、同時に行ってもよいし、単独に行ってもよい。
【００８３】
また、上記の実施形態において、報知部２０ｃは、「無効」と設定された入力端子に画像信号が入力されなくなった場合、または、「無効」と設定されていた入力端子が「有効」に変更された場合、報知を終了するようにしてもよい。例えば、報知部２０ｃは、図６の画像領域６２ｂの報知情報の表示または図７の画像領域６２ｂの報知情報の表示を終了する。これにより、ユーザーは、入力端子に入力されている画像信号の投写が可能になったことを知ることができる。
【００８４】
また、上記の実施形態において、設定部２０ｂは、報知部２０ｃの報知の際、画像信号が入力された、「無効」に設定されていた入力端子を「有効」に設定変更してもよい。例えば、設定部２０ｂは、ステップＳ５の処理において、「無効」に設定されていた入力端子を「有効」に設定変更してもよい。この場合、「無効」に設定されていた入力端子は、自動で「有効」に設定変更されるので（設定部２０ｂが「有効」に設定変更するので）、ステップＳ６〜Ｓ１１の処理は省略する。
【００８５】
図８は、入力端子の自動設定変更の画面例を示した図である。図８において、図６と同じものには同じ符号を付し、その説明を省略する。
【００８６】
報知部２０ｃは、ステップＳ５の処理によって、報知情報をスクリーンＳＣに投写する。例えば、報知部２０ｃは、図８の画像６４の画像領域６４ａに示すように、「ＰＣ２に入力あり。」と、「無効」に設定された入力端子に画像信号が入力されていることを報知する。
【００８７】
また、設定部２０ｂは、報知部２０ｃのステップＳ５の処理の際、画像信号が入力されている、「無効」に設定されている入力端子を「有効」に設定変更する。そして、設定部２０ｂは、画像領域６４ａに示すように、「自動でＰＣ２を有効にしました。」と、「無効」の入力端子を「有効」に設定変更したことを表示する。
【００８８】
これにより、ユーザーは、入力端子が自動で「無効」から「有効」に設定変更されたことを認識することができ、入力端子の設定情報の設定を行うことなく、「入力ソース切替えキー」の操作のみによって、プロジェクター１に入力した画像信号の画像をスクリーンＳＣに投写することができる。
【００８９】
なお、設定部２０ｂは、入力端子の設定情報を「無効」から「有効」に自動で設定変更する前に、ユーザーに問いかけてもよい。例えば、設定部２０ｂは、報知部２０ｃが「ＰＣ２に入力あり。」と表示する際、「ＰＣ２は「無効」ですが、「有効」に設定変更しますか？」という情報を表示してもよい。これにより、ユーザーは、「無効」に設定された入力端子を「有効」に設定変更するか否か選択することができる。例えば、ユーザーは、「無効」に設定された入力端子を「有効」に設定変更し、画像信号をスクリーンＳＣに投写することができる。または、ユーザーは、「無効」に設定された入力端子を「有効」に設定変更しなくても、例えば、「有効」の入力端子に画像信号を入力するようケーブルを接続し直すことによって、画像信号の画像をスクリーンＳＣに投写することができる。
【００９０】
また、上記の実施形態では、光変調部として、透過型の液晶ライトバルブ１２Ｒ，１２Ｇ，１２Ｂを用いているが、反射型の液晶ライトバルブ等、反射型の光変調部を用いることも可能である。また、入射した光の射出方向を、画素としてのマイクロミラー毎に制御することにより、光源から射出した光を変調する微小ミラーアレイデバイス等を用いることもできる。
【００９１】
また、上記の実施形態では、光源１１は、放電型の光源ランプ１１ａによって構成されているが、ＬＥＤ光源等の固体光源や、その他の光源を用いることもできる。
【００９２】
また、上記の実施形態では、表示装置として、光源１１から射出された光を変調して投写するプロジェクター１を例にして説明しているが、透過型のスクリーンを一体的に備えたリアプロジェクター、或いは、液晶ディスプレイ、プラズマディスプレイ、ＳＥＤ（Surface-conduction Electron-emitter Display）、有機ＥＬ（Electro Luminescence）ディスプレイ等のフラットパネルディスプレイに適用することも可能である。なお、画像表示装置にプロジェクターを用いた場合には、他の画像表示装置に比べて、より大きなサイズで画像を表示することが容易になる。
【００９３】
また、上記したプロジェクター１の構成は、プロジェクター１の構成を理解容易にするために、主な処理内容に応じて分類したものである。構成要素の分類の仕方や名称によって、本願発明が制限されることはない。プロジェクター１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００９４】
また、上記で説明したフローチャートの処理単位は、プロジェクター１の処理を理解容易にするために、主な処理内容に応じて分割したものである。処理単位の分割の仕方や名称によって、本願発明が制限されることはない。プロジェクター１の処理は、処理内容に応じて、さらに多くの処理単位に分割することもできる。また、１つの処理単位がさらに多くの処理を含むように分割することもできる。さらに、上記のフローチャートの処理順序も、図示した例に限られるものではない。
【符号の説明】
【００９５】
１：プロジェクター、１０：画像投写部、１１：光源、１１ａ：光源ランプ、１１ｂ：リフレクター、１２Ｒ，１２Ｇ，１２Ｂ：液晶ライトバルブ、１３：投写レンズ、１４：ライトバルブ駆動部、ＳＣ：スクリーン、２０：制御部、２０ａ：検知部、２０ｂ：設定部、２０ｃ：報知部、２０ｄ：情報記憶部、２１：記憶部、２２：操作パネル、２３：リモコン、２４：操作信号受信部、２５：入力端子群、２６：入力端子選択部、２７：画像信号処理部、２８：ＯＳＤ処理部、３０：光源駆動部、４１：入力端子情報、４２：端子設定情報、５１：コンピューター、６１〜６４：画像。
【図１】
2015187680.tif 000003
【図２】
2015187680.tif 000004
【図３】
2015187680.tif 000005
【図４】
2015187680.tif 000006
【図５】
2015187680.tif 000007
【図６】
2015187680.tif 000008
【図７】
2015187680.tif 000009
【図８】
2015187680.tif 000010